(57)【要約】      （修正有）【課題】落下時の保護を提供できるポータブル電子機器を提供する。【解決手段】ポータブル電子機器の保護装置２は、落下時に制御信号を生成でき、かつ機体１と複数の緩衝部材２１と複数の駆動部とを含む。それら緩衝部材は、各々機体の異なる隅角部又は異なる側面に設けられる。各緩衝部材は、各々異なる方向に伸長する前段部２１１と後段部２１２とを備え、また駆動されて一定の角度に回転できることで、前段部及び後段部が各々機体の前面及び背面に突出することにより、保護状態を形成する。駆動部は、機体内に設けられ、かつ、緩衝部材に対応して連結し、制御信号を受信した時、対応する緩衝部材を角度に回転させるように駆動するために用いられる。【効果】保護装置は、動作において伸縮及び回転の２つの動作しかなく、所要の対応構造が非常に簡単で、製造や組立にも有利になり、コストが低いという利点を持つ。【選択図】図１
2019097161.tif 000002
【特許請求の範囲】
【請求項１】
前面と背面と少なくとも１つの側面を備える機体と、
前記機体に内蔵され、ポータブル電子機器が落下した時、これに応じて制御信号を生成できるセンサーと、
前記機体の側面に設けられ、各々異なる方向に伸長する前段部と後段部とを備え、また駆動されて一定の角度に回転できることで、前記前段部及び前記後段部が各々前記機体の前面及び背面に突出する少なくとも１つの緩衝部材と、
前記機体内に設けられ、かつ前記緩衝部材に連結し、前記制御信号を受信した時、連結する前記緩衝部材を前記角度に回転させるように駆動するために用いられる少なくとも１つの駆動部と、
を含むことを特徴とする、落下時の保護を提供できるポータブル電子機器。
【請求項２】
前記緩衝部材は、前記駆動部の駆動を受けて前記機体から一定距離だけ突出することを特徴とする、請求項１に記載のポータブル電子機器。
【請求項３】
前記緩衝部材は、前記駆動部の駆動を受けた時、突出しながら回転することを特徴とする、請求項１又は２に記載のポータブル電子機器。
【請求項４】
前記緩衝部材は、前記前段部と前記後段部との間に固定されたスクリュー棒を更に含み、前記スクリュー棒自体が螺旋形状にねじられ、かつ前記機体内に挿入されて前記駆動部と連結することを特徴とする、請求項１乃至３のいずれか１つに記載のポータブル電子機器。
【請求項５】
前記駆動部は、
前記スクリュー棒が挿通するための長孔を備える筐体と、
前記筐体内に設けられ、前記スクリュー棒が前記筐体内に引き込む時、前記スクリュー棒による圧縮を受けて弾性力を蓄積し、並びに前記弾性力により前記スクリュー棒を前記筐体外に突出させるように伸縮するための圧縮ばねと、
前記緩衝部材を係止し、また前記制御信号を受信した時だけ前記緩衝部材を解放させることで、前記緩衝部材の前記スクリュー棒を前記筐体外に突出させるための係合部と、
を含むことを特徴とする、請求項４に記載のポータブル電子機器。
【請求項６】
前記筐体の前記長孔は、各々前記スクリュー棒にフィットする２つの対向する長辺を有することで、前記スクリュー棒が前記長孔を経由して突出し又は引き込んだ時、前記角度に対応して前記スクリュー棒を正転或いは逆転させることを特徴とする、請求項５に記載のポータブル電子機器。
【請求項７】
前記係合部は、舌片を含み、前記舌片が突出し、かつ前記緩衝部材上の係止溝に挿入され、また前記制御信号を受信した時だけ前記舌片が引き込みかつ前記係止溝から離脱することを特徴とする、請求項５又は６に記載のポータブル電子機器。
【請求項８】
前記係合部は電磁弁を更に含み、前記電磁弁が前記係合部の前記舌片を突出させかつ前記緩衝部材上の前記係止溝に挿入するよう駆動し、また前記制御信号を受信した時だけ前記舌片を引き込みかつ前記係止溝から離脱するように駆動することを特徴とする、請求項７に記載のポータブル電子機器。
【請求項９】
前記機体のうちの前記緩衝部材に対応する箇所に、前記緩衝部材を格納するための凹溝が形成されていることを特徴とする、請求項１乃至８のいずれか１つに記載のポータブル電子機器。
【請求項１０】
隣り合う２つの前記側面の接合部は隅角部を形成し、前記緩衝部材が前記機体の前記隅角部に設けられていることを特徴とする、請求項１乃至９のいずれか１つに記載のポータブル電子機器。
【発明の詳細な説明】
【技術分野】
【０００１】
本発明は、携帯電話、タブレット端末、コンピュータ等のポータブル電子機器に関し、特に、落下時の保護を提供することで、落下による破損を防止できるポータブル電子機器に関する。
【背景技術】
【０００２】
電子部品の小型化につれ、個人の持ち運びに便利なポータブル電子機器が益々多くなり、かつ機能が絶え間なく向上及び拡張することに伴い、価格も益々高くなり、例えばハイエンドスマートフォン、タブレット端末等の価格も通常でも安くなく、一度不注意で落下により破損、例えばディスプレイパネルが破損すると、往々にして高い修理料を支払う必要があり、かつ修理を待つ期間に使用できないことの不便も起きてしまう。この課題を解決するため、現在様々な技術的手段が提案され、例えば特許文献１及び特許文献２、特許文献３、特許文献４、特許文献５等があり、これら技術的手段は、落下保護機能を備えた携帯電話を開示し、その携帯電話の内部回路が落下事象を検出した場合、複数の保護装置を瞬間的に突出或いは伸長させ、それら保護装置を通じてその携帯電話に対し保護の役目を果たすことで携帯電話の破損を防止していた。
【０００３】
特許文献２は、携帯電話の四隅に各々保護装置が設けられ、各保護装置がその隅角部の向く方向に蓋体から突出させることができる以外に、蓋体の前後両側から各々保護パッドを突出させることで、保護状態を形成でき、携帯電話が地面に落下した時、その前面、背面、各隅角部及び各側面を地面に衝突させないよう確保する。しかしながら、この従来の保護装置は、少なくとも３つの異なる方向の突出動作を必要とし、かつ各動作の間で連動関係を持つため、その対応する構造が非常に複雑であることにより、製造、組立に不利となることが想像でき、全体的なコストも勿論高くなる。
【先行技術文献】
【特許文献】
【０００４】
【特許文献１】台湾特許第Ｉ４２５３４１号
【特許文献２】米国特許第ＵＳ９６１２６２２号
【特許文献３】米国特許第ＵＳ７０５９１８２号
【特許文献４】米国特許第ＵＳ９５７１１５０号
【特許文献５】米国特許第ＵＳ９７１５２５７号
【発明の概要】
【発明が解決しようとする課題】
【０００５】
そこで、本発明は、従来の携帯電話保護装置に構造が複雑という問題があることに鑑み、落下事象の発生を検出した時、直ちにその保護装置を保護状態に入らせることで、ポータブル電子機器の安全性を確保でき、かつ保護装置の構造が簡単で、製造や組立にも有利になるため、コストが低いという利点を持ち、従来の携帯電話保護装置の上記課題を解決できる、落下時の保護を提供できるポータブル電子機器を提供する。
【課題を解決するための手段】
【０００６】
本発明のポータブル電子機器は、機体と、センサーと、少なくとも１つの保護装置とを含み、保護装置が、少なくとも１つの緩衝部材と、少なくとも１つの駆動部とを含む。機体は、前面と背面と少なくとも１つの側面を備える。センサーは、機体に内蔵され、ポータブル電子機器が落下した時、これに応じて制御信号を生成できる。緩衝部材は、機体の側面に設けられ、各々異なる方向に伸長する前段部と後段部とを備え、また駆動されて一定の角度（例えば９０度）に回転できることで、前段部及び後段部が各々機体の前面及び背面に突出する。駆動部は、機体内に設けられ、かつ緩衝部材に連結し、制御信号を受信した時、連結する緩衝部材を上記角度に回転させるように駆動するために用いられる。好ましくは、隣り合う２つの側面の接合部は各々隅角部を形成し、緩衝部材が機体の隅角部に設けることができる。
【０００７】
一実施例において、緩衝部材は、駆動部の駆動を受けて機体から一定距離だけ突出することができる。好ましくは、緩衝部材は、駆動部の駆動を受けた時、突出しながら回転する。
【０００８】
一実施例において、緩衝部材は、前段部と後段部との間に固定されたスクリュー棒を更に含み、スクリュー棒自体が螺旋形状にねじられ、かつ機体内に挿入されて駆動部と連結する。
【０００９】
一実施例において、駆動部は、筐体と、圧縮ばねと、係合部とを含む。筐体は、スクリュー棒が挿通するための長孔を備える。圧縮ばねは、筐体内に設けられ、スクリュー棒が筐体内に引き込む時、スクリュー棒による圧縮を受けて弾性力を蓄積し、並びにこの弾性力によりスクリュー棒を筐体外に突出させるように伸縮するために用いられる。係合部は、緩衝部材を係止し、また制御信号を受信した時だけ緩衝部材を解放させることで、緩衝部材のスクリュー棒を筐体外に突出させるために用いられる。好ましくは、筐体の長孔は、各々スクリュー棒にフィットする２つの対向する長辺を有することで、スクリュー棒が長孔を経由して突出し又は引き込んだ時、上記角度に対応してスクリュー棒を正転或いは逆転させることができる。
【００１０】
一実施例において、係合部は、舌片を含み、舌片が突出し、かつ緩衝部材上の係止溝に挿入され、また制御信号を受信した時だけ舌片が引き込みかつ係止溝から離脱する。
【００１１】
一実施例において、係合部は、電磁弁を更に含み、電磁弁が係合部の舌片を突出させかつ緩衝部材上の係止溝に挿入するように駆動し、また制御信号を受信した時だけ舌片を引き込みかつ係止溝から離脱するように駆動する。
【００１２】
また、美観を図るため、機体のうちの緩衝部材に対応する箇所に、緩衝部材を格納するための凹溝が形成される。
【発明の効果】
【００１３】
従来技術に比べると、本発明のポータブル電子機器は、一度落下すると、その保護装置の緩衝部材が瞬間的に突出すると共に一定の角度に回転することで、緩衝部材の前段部及び後段部が各々機体の前面及び背面から突出して、保護状態となり、ポータブル電子機器が地面に落下した時に地面に衝撃したことによる破損を防止し、ポータブル電子機器の安全性を確保する。更に、本発明の保護装置は、動作において最多でも伸縮及び回転の２つの動作しかなく、所要の対応構造が非常に簡単で、当然製造や組立にも有利になり、コストが低いという利点を持ち、従来の携帯電話保護装置の上記課題を解決できる。
【図面の簡単な説明】
【００１４】
【図１】本発明の一実施例に係るポータブル電子機器が原初状態にある時の立体図である。
【図２】実施例のいずれかの保護装置が原初状態にある時の平面図である。
【図３】実施例のいずれかの保護装置が原初状態にある時の外観立体図である。
【図４】実施例のいずれかの保護装置が保護状態にある時の平面図である。
【図５】実施例のいずれかの保護装置が保護状態にある時の立体外観図である。
【図６】実施例の保護装置が保護状態にある時の立体図である。
【図７】好ましい実施例の保護装置が保護状態にある時の側面図である。
【発明を実施するための形態】
【００１５】
図１は、本発明の一実施例に係る落下時の保護を提供できるポータブル電子機器を示す。ポータブル電子機器は、機体１と複数の保護装置２とセンサー（図示せず）とを含む。センサーは、機体１に内蔵され、かつポータブル電子機器が落下された時にこれに応じて制御信号を生成して各保護装置２に伝送できる。ポータブル電子機器は、スマートフォン又はタブレット端末とすることができるが、これに限定されない。本実施例において、ポータブル電子機器は、スマートフォンであり、センサーがスマートフォン内の加速度センサー（Ｇ−ｓｅｎｓｏｒ、別名Ｇ力センサー）である。加速度センサーは、ポータブル電子機器が自由落下状態にあることを検出した時、現在落下事象が起き、つまりポータブル電子機器が使用者の手から落下していることを示す。この時、加速度センサーは、制御信号を生成して各保護装置２に伝送し、それら保護装置２を図１に示す原初状態から図６に示す保護状態に入らせ、その詳細な動作過程は後記の通りとする。
【００１６】
図１に示すように、機体１は、広い前面１０１と背面１０２と複数の狭い側面とを備える。前面１０１にスクリーン１０を有する。それら側面は、右側面１２、左側面１３、上側面１４及び下側面１５を包括し、かつ隣り合う２つの側面の接合部が各々隅角部１１を形成する。各保護装置２は、緩衝部材２１を含む。それら緩衝部材２１は、各々機体１の異なる隅角部１１又は異なる側面に設けられる。例えば、それら保護装置２が４個あった場合、図１に示すようにその緩衝部材２１は、機体１の４個の隅角部１１に各々設けることができるが、機体１の右側面１２、左側面１３、上側面１４及び下側面１５にも設けることができる。それら保護装置２が３個あった場合、その緩衝部材２１は、機体１のうちの３個の隅角部１１に各々設けることができ、或いは機体１のうちの３つの側面に各々設けることができる。それら保護装置２が２個だけの場合、その緩衝部材２１は、機体１の両対角線にある隅角部１１に各々設けることができ、若しくは機体１の対向する両側面に各々設けることができる。更に、機体１上に１個の保護装置だけを設けることもできる。それら保護装置２の数量は、前述の数量に限られないが、万全の保護を求めるために、それら保護装置２の数量は、３個以上であることが好ましい。
【００１７】
また、機体１の形状は、図１内に示す四角形に限られず、楕円形、円形或いは上記隅角部１１を有しない他の形状としてもよく、この場合、それら保護装置２は機体１の側面に設けられる。
【００１８】
各緩衝部材２１は、弾性を持つプラスチック又はゴム材料で製造されたものであるが、これに限定されない。図１乃至３に示すように、各緩衝部材２１は、各々異なる方向に向けて伸長する前段部２１１と後段部２１２とを備える。好ましい実施例において、それら緩衝部材２１は、各々機体１の各隅角部１１に設けられるため、各緩衝部材２１の前段部２１１及び後段部２１２がＬ字型シートを形成することで、原初状態において各々機体１の隣り合う２つの側面にフィットし、例えば図１右上にある緩衝部材２１の前段部２１１及び後段部２１２は、機体１の上側面１４及び右側面１２に各々フィットする。一方、それら緩衝部材２１が機体１の各側面に各々設けられている場合、原初状態において機体１の同一側面にフィットさせるために、各緩衝部材２１の前段部２１１及び後段部２１２を長い真っ直ぐなシートに形成できる。
【００１９】
図６、図７に示すように各緩衝部材２１は、駆動されて一定の角度、例えば９０度に回転することで、前段部２１１及び後段部２１２を各々機体１の前面１０１及び背面１０２に突出させることができる。それら緩衝部材２１を駆動させるため、図２、図３に示すように、保護装置２は駆動部２００を更に含み、それら駆動部２００は、機体１内に設けられ、かつそれら緩衝部材２１に各々対応して連結し、制御信号を受信した時、対応する緩衝部材２１を回転させるために用いられる。本実施例において、図２、図３に示すよう、各緩衝部材２１は、前段部２１１と後段部２１２の間に固着されたスクリュー棒２０２を更に含み、スクリュー棒２０２自体が螺旋形状にねじられ、かつ機体１内に挿入されて、対応する駆動部２００と連結する。各駆動部２００は、機体１内に固定された筐体２０１と、筐体２０１内に設けられた圧縮ばね２０３と、緩衝部材２１を係止できる少なくとも１個の係合部２２とを含む。本実施例において、各駆動部２００の係合部２２は２個あり、各々の係合部２２が緩衝部材２１の前段部２１１及び後段部２１２と係合して、緩衝部材２１の両側と係合する。しかしながら、コストの削減、製造の便利さ及び空間利用を図るため、係合部２２が１個だけで、緩衝部材２１の片側と係合してもよく、かつ単一の係合部２２の場合において、係合部２２を緩衝部材２１に係合させることには限定されず、例えば筐体２０１と緩衝部材２１との間のスクリュー棒２０２の段部上に係合部２２を係合させるように変更することもできる。
【００２０】
筐体２０１の頂面は、スクリュー棒２０２が挿通するための長孔Ａを有する。長孔Ａは、両対向長辺を備え、各々スクリュー棒２０２にフィットするため、スクリュー棒２０２の螺旋形状及び長孔Ａの形状で果たされるガイド作用を介して、スクリュー棒２０２が長孔Ａを経由して突出或いは引き込んだ時、上述した角度に対応してスクリュー棒２０を正転又は逆転させることができる。本実施例において、上述した角度は９０度である。長孔Ａの両対向長辺は、好ましくは長孔Ａの内側に向けてややアーチして円弧形状を呈することで、スクリュー棒２０２を非常にスムーズに突出或いは引き込ませることができる。
【００２１】
圧縮ばね２０３は、筐体２０１内に設けられ、かつ筐体２０１の内壁とスクリュー棒２０２の末端との間に位置し、スクリュー棒２０２が筐体１に引き込んだ時、スクリュー棒２０２の圧縮を受けて弾性力を蓄積し、並びにこの弾性力によりスクリュー棒２０２を筐体１から突出させる。
【００２２】
係合部２２は、緩衝部材２１を係止し、また制御信号を受信した時だけ緩衝部材２１を解放させることで、緩衝部材２１のスクリュー棒２０２を筐体２０１から突出させるために用いられる。係合部２２は、電磁弁２２０と電磁弁２２０の駆動を受けて突出又は引き込む舌片２２１とを含むことができる。舌片２２１は、突出後に緩衝部材２１上の係止溝２１ａに挿入することで、緩衝部材２１と係合する。逆に、舌片２２１が引き込むことにより、係止溝２１ａから離脱する。電磁弁２２０は、通常、舌片２２１を駆動して突出させかつ係止溝２１ａに挿入し、また制御信号を受信した時だけ舌片２１１を駆動して引き込むことで係止溝２１ａから離脱させる。また、係合部２２は１個の舌片２２１だけを含むことができ、ポータブル電子機器自体に１個或いは複数の電磁弁２２０を設け、電磁弁２２０が各係合部２２の舌片２２１の突出又は引き込みを駆動できる。コスト削減と製造の便利さ、及び空間利用を高めるため、一実施例において、電磁弁２２０は、ポータブル電子機器の軸心に近い位置に設けることができる。
【００２３】
保護装置２が図１乃至３に示す原初状態にある時、緩衝部材２１は、使用者の押圧を受けて機体１の隅角部１１（或いは側面）にフィットしており、圧縮ばね２０３が使用者の押圧の力により、スクリュー棒２０２により圧縮されることで、弾性力を蓄積する。また、係合部２２の舌片２２１はこの時緩衝部材２１の係止溝２１ａに挿入し、緩衝部材２１が係止されることで、圧縮ばね２０３により機体１の隅角部１１（或いは側面）から緩衝部材２１が跳ね上がることができない。言い換えると、緩衝部材２１がこの状態に係止されている。
【００２４】
ポータブル電子機器が落下することで上記制御信号を生成して電磁弁２２０に伝送された時、電磁弁２２０は、制御信号に基づいて舌片２２１の引き込みを駆動することで、緩衝部材２１を解放する。図４乃至図５に示すように、緩衝部材２１が一度解放されると、圧縮ばね２０３は蓄積した上記弾性力を利用してスクリュー棒２０２を外側に突出させるように押し、緩衝部材２１全体を外部に向けて一定距離だけ突出させると共に９０度正転させる。この時、ポータブル電子機器では、保護装置２がすでに図６、図７に示す保護状態を形成している。緩衝部材２１は、機体１の隅角部１１（或いは側面）から一定距離突出するだけでなく、かつその前段部２１１及び後段部２１２は、各々機体１の前面１０１及び背面１０２から突出するため、ポータブル電子機器が地面に落下した時に完全に地面に衝突せず、従ってポータブル電子機器の安全性を確保できる。
【００２５】
次に、使用者が各緩衝部材２１を１つずつ押すだけで、各緩衝部材２１のスクリュー棒２０２を引き込ませることができ、緩衝部材２１の前段部２１１及び後段部２１２も同時にスクリュー棒２０２の引き込みに伴って９０度に逆転すると共に元の位置に戻り、各保護装置２を保護状態から原初状態に戻すことができる。
【００２６】
美観を図るため、図６に示すように、機体１のそれら緩衝部材２１に対応する箇所にそれら緩衝部材２１を格納するための凹溝１６が各々形成されることで、それら緩衝部材２１の前段部２１１及び後段部２１２を原初状態において機体１の側面と同一面内に位置させる。緩衝部材２１の回転時に、対応する凹溝１６との干渉を避けるため、上記実施例において、先に緩衝部材２１を少し突出させてから回転させる。一方、緩衝部材２１の前段部２１１及び後段部２１２を、元々隅角部１１（或いは側面）よりやや高くすることで、回転時に干渉しない場合において、緩衝部材２１は、上昇しながら回転、若しくは上昇せずに直接、上述した角度で回転することもできる。
【００２７】
従来の携帯電話保護装置に比べると、本発明の各保護装置２は、動作において最多でも伸縮及び回転の２つの動作だけであるため、所要の対応構造が相対的に簡単になる。
【００２８】
上述からも分かる通り、本発明のポータブル電子機器は、上記保護装置２を通じて、落下した時、直ちに保護を提供できるだけではなく、保護装置２の簡単構造により製造や組立にも有利になるため、本発明は低いコストという利点を持ち、従来の携帯電話保護装置の構造が複雑及び高いコストという課題を解決できる。
【符号の説明】
【００２９】
１        機体
１０      スクリーン
１０１    前面
１０２    背面
１１      隅角部
１２      右側面
１３      左側面
１４      上側面
１５      下側面
２        保護装置
２００    駆動部
２０１    筐体
２０２    スクリュー棒
２０３    圧縮ばね
２１      緩衝部材
２１ａ    係止溝
２２      係合部
２２０    電磁弁
２２１    舌片
Ａ        長孔
【図１】
2019097161.tif 000003
【図２】
2019097161.tif 000004
【図３】
2019097161.tif 000005
【図４】
2019097161.tif 000006
【図５】
2019097161.tif 000007
【図６】
2019097161.tif 000008
【図７】
2019097161.tif 000009